(57)【特許請求の範囲】
【請求項１】
収納部の上部に天板を備えたキャビネットであって、天板の下方で収納部の前側に位置する補助収納部を備え、補助収納部の少なくともその一部が、天板の前端より前方に位置しているとともに、補助収納部の側面がサイドキャップで覆われ、サイドキャップの上面に、水分を補助収納部の外側へ導く水返し面が形成されていることを特徴とするキャビネット。
【請求項２】
請求項１記載のキャビネットであって、補助収納部の水返し面は天板の前端より前方に位置していることを特徴とするキャビネット。
【請求項３】
請求項１または２記載のキャビネットであって、補助収納部の側面を履うサイドキャップに、補助収納部の正面側から見て外側へ広がる斜面が形成されていることを特徴とするキャビット。
【請求項４】
請求項１から３のいずれかに記載のキャビネットであって、補助収納部の上方に使用者が凭れがかかることが可能なサボートバーを備えていることを特徴とするキャビネット。
【請求項５】
請求項３に記載のキャビネットであって、補助収納部の上方に使用者が凭れかかることが可能なサポートバーを備え、サポートバーの側面に、サイドキャップの斜面と略同一平面となる斜面が形成されていることを特徴とするキャビネット。
【発明の詳細な説明】
【技術分野】
【０００１】
本発明は、キャビネットに関し、詳細には、キッチンのキャビネット等の引き出し収納部の前板に前方に突出するように設けられた補助収納部において、この補助収納部の側面を覆うサイドキャップの上面に、水返し面を形成したものに関する。
【背景技術】
【０００２】
従来、キッチンのシンク部前方であって天板下に補助的な収納部を設ける構成は、知られている。例えば、流し台の前方に収納兼サポート用幕板が配設された構成が知られている（特許文献１参照）。
【０００３】
そして、洗面ユニットの収納部の扉に、斜面を有する小物収納部を一体的に設けたものが知られている（特許文献２参照）。さらに、洗面化粧台の幕前板を開閉自在な蓋体と、蓋俸を支持する支持部とで構成したものも知られている（特許文献３参照）。
【０００４】
しかし、このような従来例（特許文献１）は、あくまでも、天板下に収納部を設ける構成であり、それ以上収納スペースをより拡大して利用することは難しい。そこで、収納部を天板下だけではなく、さらに前方の空間を活用して、収納量を拡大し、使い勝手の良い収納を可能とするために、本願の出願人は、天板の下方で収納部の前側に位置する補助収納部を備え、補助収納部の上面に蓋部材を備えた構成の発明をすでに先願発明として出願している（特願２００７−２９５６６７号参照）。
【０００５】
【特許文献１】特開２００７−１６２号公報
【特許文献２】実公昭６１−６８６０号公報
【特許文献３】実開平１−９９２８７号公報
【発明の開示】
【発明が解決しようとする課題】
【０００６】
上記先願発明に記載された補助収納部には、その側面にサイドキャップを装着するが、このようなサイドキャップの上面に付着した水分が補助収納部内に流れ込むと、補助収納部内を汚したり、衛生上も好ましくない。本願発明は、このような問題を解決することを目的とするものであり、補助収納部の側面に装着されたサイドキャップの上面に付着した水分が補助収納部内に流れ込まないようにすることを課題とする。
【課題を解決するための手段】
【０００７】
本発明は上記課題を解決するために、収納部の上部に天板を備えたキャビネットであって、天板の下方で収納部の前側に位置する補助収納部を備え、補助収納部の少なくともその一部が、天板の前端より前方に位置しているとともに、補助収納部の側面がサイドキャップで覆われ、サイドキャップの上面に、水分を補助収納部の外側へ導く水返し面が形成されていることを特徴とするキャビネットを提供する。
【０００８】
上記補助収納部の水返し面は天板の前端より前方に位置していることが好ましい。
【０００９】
上記補助収納部の側面を履うサイドキャップに、補助収納部の正面側から見て外側へ広がる斜面が形成されている構成としてもよい。
【００１０】
上記補助収納部の上方に使用者が凭れがかかることが可能なサボートバーを備えた構成としてもよい。
【００１１】
補助収納部の上方に使用者が凭れかかることが可能なサポートバーを備え、サポートバーの側面に、サイドキャップの斜面と略同一平面となる斜面が形成されている構成としてもよい。
【発明の効果】
【００１２】
本発明によれば、サイドキャップの上面に付着した水分を補助収納部の外側へ導く水返し面を形成したので、水分を補助収納部内に流れ込まないようにする効果が生じる。
【発明を実施するための最良の形態】
【００１３】
本発明に係るキャビネットを実施するための最良の形態を実施例に基づき図面を参照して、以下説明する。
【実施例】
【００１４】
本発明に係るキャビネットの実施例を、図１〜４において説明する。本発明の補助収納部１を取り付けたキャビネット２は、図１（ａ）に示すように、天板３の下方に収納部が設けられている。この収納部は、補助収納部１に対して主収納部として機能するものである。なお、本実施例のキャビネットは、天板３にシンクが取り付けられたキッチンキャビネットである。
【００１５】
本発明の実施例では、収納部として引き出し収納部４を備えている。この引き出し収納部４は、図１（ｂ）に示すように、前面部５、左右両側の側板６、底板７及び背板（図示せず。）とを備えている。そして、補助収納部１は、天板３の下方で引き出し収納部４の前側に位置するように設けられる。この補助収納部１は、引き出し収納部４の前面部５の上部に、少なくともその一部が、天板３の前端３９より前方に位置するように取り付けられている。
【００１６】
補助収納部１は、引き出し収納部４と連通し、一体の収納スペースを形成している。この実施例では、図１（ａ）、（ｂ）に示すように、補助収納部１は、収納本体８を備えており、この収納本体８の長手方向の両端部のそれぞれの側面１０（図１、図２参照）には、サイドキャップ９が嵌め込み固定される。
【００１７】
収納本体８は、引き出し収納部４と同じ左右方向の横幅を有する長尺状の部材であり、その長手方向の両端部のそれぞれの側面１０は開口している。収納本体８の一端から長手方向に一部を切り取った部分の斜視図を図２（ａ）に示し、また、その側面図を図２（ｂ）に示す。この図２（ａ）、（ｂ）に示すように、収納本体８は、前面壁１１と、前面壁１１の下部に連成する傾斜壁１２と、傾斜壁１２の下部に連成する底壁１３と、背面壁１４とを備えている。
【００１８】
前面壁１１の側面１０の上部には、ビス孔１５が形成されている。底壁１３の側面１０にもビス孔１６が形成されている。また、底壁１３の下部には、下方に向けて凹部１７が形成されている。この凹部１７は、補助収納部１の左右方向の横幅方向の全長にわたって、凹状の溝として形成されており、引き出し収納部４の取手として機能し、引き出し収納部４及び収納本体８を前方に引くときに使用者が手を掛けることができる。
【００１９】
背面壁１４は、引き出し収納部４の前面部５の裏面にネジ止めされて固定され、これにより、補助収納部１が引き出し収納部４の前面部５に取り付けられる。背面壁１４の上端は、底壁１３より若干上方に位置するように形成されている。
【００２０】
サイドキャップ９は、キャップ本体１８（図３（ａ）、（ｂ）参照）と、キャップカバー１９（図３（ｃ）参照）とから成る。
【００２１】
キャップ本体１８の薄肉部２０に収納本体８の側面１０が当接するようにして、キャップ本体１８を側面１０に、取付体（固定具）であるビスをビス孔２１、２２を通してで固定する。これにより、キャップ本体１８で、収納本体８の長手方向の両端部における開口を閉じることができる。
【００２２】
キャップカバー１９は、キャップ本体１８及び収納本体８の端部に嵌め込み固定されるものである。キャップカバー１９は、図３（ｃ）に示すように、側部２５、前部２６、背部２７、底部２８及び頂部２９が、一体に形成されている。
【００２３】
図４（ｂ）に示すように、平面視では、頂部２９の上面は、前縁３０、内側縁３１、後縁３２、前部外側縁３３及び後部外側縁３４により囲まれ、略台形状に形成されている。後部外側縁３４は、平面視でテーパ状に後方に向けて側方に拡がるように形成されている。これにより、後部外側縁３４から下方に伸びるように形成されているサイドキャップ９の側部２５は、補助収納部１の正面側から見て外側へ広がる斜面となって見える。
【００２４】
図４（ａ）〜（ｄ）に示すように、上面において、前縁３０から、内側縁３１及び後縁３２に沿って伸びるＬ型の帯状の面３５は、同じ最上位の高さに水平に形成されている。図５（ａ）、（ｂ）は、補助収納部１の正面斜め前方側から見た図であるが、前縁３０は水平に形成されている。
【００２５】
図４（ａ）〜（ｄ）に示すように、Ｌ型の帯状の面３５の内側を画すＬ型の稜線３６から、前部外側縁３３とテーパ状の後部外側縁３４との結合点３７に向けて下方に傾斜する水返し面３８が形成されている。要するに、稜線３６が最も高い位置にあり、結合点３７が最も低い位置となるように、二つの傾斜面で水返し面３８が形成されている。この水返し面３８は、天板３の前縁３９より前方に位置して形成されている。
【００２６】
図３において、キャップカバー１９の頂部２９の二条の係合片４０の間に、キャップ本体１８の断面クランク状に形成された係止爪２３を係入してから、キャップカバー１９の底部２８を若干、下方に拡げて、その前部係合突起４１と後部係合突起４１’のそれぞれに、キャップ本体１８の下縁部２４を係合するようにして、キャップカバー１９をキャップ本体１８及び収納本体８の端部に嵌め込み固定する。
【００２７】
図１（ａ）、（ｂ）に示すように、補助収納部１の上方であって天板３の下方に、キャビネット２の左右両側の側板４５の前端から前方に張り出し、補助収納部１の上面開口を閉じるサポートバー４２が設けられている。このサポートバー４２は、水平部４３と凭れ部４４とから成る。
【００２８】
水平部４３の基端部がキャビネット２の両側の左右の側板４５に固定され、サポートバー４２がキャビネット２に取り付けられている。サポートバー４２の側面４６を、サイドキャップの側部９の斜面と同一平面となる斜面として形成すると、キャビネット１の正面前方から見て、すっきりして意匠的にも見栄えがよくなる。なお、サポートバー４２は、補助収納部１の上面開口を閉じるとともに、使用者が凭れることのできる凭れバーとしての二つの機能を有する。
【００２９】
（作用）
以上の構成から成る本発明に係る補助収納部１のキャビネット２の作用を説明する。補助収納部１の頂部２９における上面に付着した水分は、図４（ｄ）に矢印で示すように、傾斜する水返し面３８に沿って、前部外側縁３３と後部外側縁３４との結合点３７に向けて下方に流下し、前部外側縁３３、結合点３７及び後部外側縁３４から、下方に排水される。従って、補助収納部１の頂部２９の上面に付着した水分が補助収納部１内に流れ込むことを抑制することができる。
【００３０】
補助収納部１の正面斜め前方側から見た図５（ａ）、（ｂ）に示すように、Ｌ型の帯状の面３５は水平に形成されているので、見栄えを損なうことがない。また、サポートバー４２の側面４６を、サイドキャップの側部９の斜面と同一平面となる斜面として形成すれば、キャビネット１の正面前方から見て見栄えがよい。
【００３１】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３２】
本発明に係るキャビネットは、上記のような構成であるから、キッチンのキャビネットだけでなく、洗面用のキャビネット、作業用のキャビネット等、収納部の前面に補助収納部を備えたキャビネットに適用可能である。
【図面の簡単な説明】
【００３３】
【図１】本発明に係るキャビネットの実施例の構成を説明する図であり、（ａ）はキャビネットの斜視図であり、（ｂ）は要部の斜視図である。
【図２】本発明に係るキャビネットの補助収納部の収納本体を説明する図であり、（ａ）は一端から長手方向に適宜長さで一部を切り取った部分の斜視図であり、（ｂ）は補助収納部の収納本体の側面図である。
【図３】（ａ）は本発明に係るキャップ本体を収納本体側から見た図であり、（ｂ）は（ａ）のＡ−Ａ断面図を示し、（ｃ）はキャップカバーの斜視図であり、（ｄ）は収納本体にサイドキャップを装着した状態における断面図である。
【図４】（ａ）は本発明に係るキャップカバーの斜視図であり、（ｂ）はキャップカバーの頂部の平面図であり、（ｃ）はキャップカバーの側面図であり、（ｄ）はキャップカバーのの水返し面の作用を説明する図である。
【図５】（ａ）はキャビネットの正面の斜め前方側から見た一部分の斜視図であり、（ｂ）は（ａ）の部分Ａの拡大図である。
【符号の説明】
【００３４】
１  補助収納部                                  
２  キャビネット                              
３  天板                                      
４  引き出し収納部                            
５  引き出し収納部の前面部                                    
６  引き出し収納部の左右両側の側板                            
７  引き出し収納部の底板                                      
８  補助収納部の収納本体                                  
９  サイドキャップ                            
１０  収納本体の側面                  
１１  収納本体の前面壁                                  
１２  収納本体の傾斜壁                                  
１３  収納本体の底壁                                    
１４  収納本体の背面壁                                  
１５、１６  ビス孔                              
１７  底壁の凹部                              
１８  キャップ本体                            
１９  キャップカバー                          
２０  キャップ本体の薄肉部                  
２１、２２  キャップ本体のビス孔                
２３  キャップ本体の係止爪                    
２４  キャップ本体の下縁部                      
２５  キャップカバーの側部                   
２６  キャップカバーの前部                                    
２７  キャップカバーの背部                                    
２８  キャップカバーの底部                                    
２９  キャップカバーの頂部 
３０  キャップカバーの頂部の前縁                                 
３１  キャップカバーの頂部の内側縁                               
３２  キャップカバーの頂部の後縁                                 
３３  キャップカバーの頂部の前部外側縁                           
３４  キャップカバーの頂部の後部外側縁                           
３５  キャップカバーの頂部の帯状の面                             
３６  キャップカバーの頂部の稜線                                 
３７  前部外側縁と後部外側縁との結合点     
３８  水返し面                             
３９  天板の前端                           
４０  キャップカバーの係合片         
４１  前部係合突起                         
４１’   後部係合突起                         
４２  サポートバー                           
４３  サポートバーの水平部                                 
４４  サポートバーの凭れ部
４５  キャビネットの側板
４６  サポートバーの側面                             
【図１】
0005088141.tif 000002
【図２】
0005088141.tif 000003
【図３】
0005088141.tif 000004
【図４】
0005088141.tif 000005
【図５】
0005088141.tif 000006